(57)【要約】【課題】放送局から非視聴用データがブロードキャストされると、その内容を、クライアント装置に通知することが可能なデータ受信装置及び方法を提供する。【解決手段】本発明のデータ受信装置１０は、ブロードキャストされた視聴用データ又は非視聴用データのうちの少なくとも何れかを受信するアンテナ１２と、アンテナ１２によって受信された非視聴用データを検知するデータ監視部１４と、検知された非視聴用データの種類に応じて、予め定めた項目に対応する情報をそこから取得する関連情報取得部１８と、情報が取得された非視聴用データに対して、識別番号を割り当てるチャネル割当部２２と、割り当てられた識別番号と、この識別番号が割り当てられた非視聴用データから関連情報取得部１８によって取得された情報とを、視聴用データを視聴するためのクライアント装置に通知する通信部２４とを備える。【選択図】      図１
2006174278.tif 000002
【特許請求の範囲】
【請求項１】
ブロードキャストされた視聴用データ又は非視聴用データのうちの少なくとも何れかを受信する受信手段と、
前記受信手段によって受信された前記非視聴用データを検知する検知手段と、
前記検知手段によって検知された非視聴用データから、その種類に応じて、予め定めた項目に対応する情報を取得する取得手段と、
前記取得手段によって情報が取得された非視聴用データに対して、識別番号を割り当てる割当手段と、
前記割当手段によって割り当てられた識別番号と、この識別番号が割り当てられた非視聴用データから前記取得手段によって取得された情報とを、前記視聴用データを視聴するためのクライアント装置に通知する通知手段と
を備えたデータ受信装置。
【請求項２】
請求項１に記載のデータ受信装置において、
前記クライアント装置から、前記識別番号が通知されることにより、前記通知された識別番号に対応する非視聴用データの配信要求があった場合には、この非視聴用データを、前記クライアント装置に配信する配信手段を更に備えたデータ受信装置。
【請求項３】
請求項１に記載のデータ受信装置において、前記クライアント装置に対して配信する非視聴用データを予め定めておき、
前記検知手段によって検知された非視聴用データが、前記予め定めた非視聴用データに含まれているか否かを判定する判定手段と、
前記判定手段によって、前記検知手段によって検知された非視聴用データが、前記予め定めた非視聴用データに含まれていると判定された場合には、前記検知手段によって検知された非視聴用データを、前記クライアント装置に配信する配信手段と
を更に備えたデータ受信装置。
【請求項４】
請求項１乃至３のうち何れか１項に記載のデータ受信装置において、
前記非視聴用データは、前記クライアント装置で使用されるプログラム又はデータであるデータ受信装置。
【請求項５】
ブロードキャストされた視聴用データ又は非視聴用データのうちの少なくとも何れかを受信することと、
前記受信された前記非視聴用データを検知することと、
前記検知された非視聴用データから、その種類に応じて、予め定めた項目に対応する情報を取得することと、
前記情報が取得された非視聴用データに対して、識別番号を割り当てることと、
前記割り当てられた識別番号と、この識別番号が割り当てられた非視聴用データから取得された情報とを、前記視聴用データを視聴するためのクライアント装置に通知することと
を備えたデータ受信方法。
【請求項６】
請求項５に記載のデータ受信方法において、
前記クライアント装置から、前記識別番号が通知されることにより、前記通知された識別番号に対応する非視聴用データの配信要求があった場合には、この非視聴用データを、前記クライアント装置に配信することを更に備えたデータ受信方法。
【請求項７】
請求項５に記載のデータ受信方法において、
前記クライアント装置に対して配信する非視聴用データを予め定めておくことと、
前記検知された非視聴用データが、前記予め定めた非視聴用データに含まれているか否かを判定することと、
前記検知された非視聴用データが、前記予め定めた非視聴用データに含まれていると判定された場合には、前記検知された非視聴用データを、前記クライアント装置に配信することと
を更に備えたデータ受信方法。
【請求項８】
請求項５乃至７のうち何れか１項に記載のデータ受信方法において、
前記非視聴用データは、前記クライアント装置で使用されるプログラム又はデータであるデータ受信方法。
【発明の詳細な説明】
【技術分野】
【０００１】
本発明は、ブロードキャストされた視聴用データや非視聴用データを受信し、例えば、テレビ、テレビ視聴機能付きＰＣ、ビデオレコーダ、ＤＶＤレコーダ等のクライアント装置に出力するデータ受信装置及び方法に関するものである。
【背景技術】
【０００２】
現在、テレビ放送のデジタル化が実現し、ブロードキャストされたデータを受信するデータ受信装置の普及が進んでいる。このデータ受信装置は、所謂チューナであり、放送局からブロードキャストされたデータを受信し、接続されているテレビや、テレビ機能付きＰＣ、ビデオレコーダ、あるいはＤＶＤレコーダといったクライアント装置に出力する。なお、データ受信装置が受信するデータは、デジタルデータのみならず、アナログデータも可能である。
【０００３】
従来のアナログデータによるブロードキャストでは、放送番組を視聴するための視聴用データのみがブロードキャストされていたが、デジタルデータでは、このような視聴用データのみならず、データ受信装置やクライアント装置の設定データやアプリケーションプログラム、番組情報データ、視聴者に対するお知らせ用データ等、様々な視聴用データ以外のデータ（以下、「非視聴用データ」と称する）をブロードキャストすることが可能である。
【０００４】
図７は、従来のデータ受信装置５０が、放送局からブロードキャストされた非視聴用データＮを受信し、クライアント装置６０に提供する仕組みを示す概念図である。すなわち、従来のデータ受信装置５０では、放送局から非視聴用データＮがブロードキャストされると、アンテナ５２によって受信される。
【０００５】
このようにして受信された非視聴用データＮには、チャネルアイテムと呼ばれる固有番号が割り当てられ、このチャネルアイテムに関連付けられてチューナコンテナ５４に格納される。また、この非視聴用データＮから、タイトル等の見出し情報が取得され、取得された見出し情報がチャネルアイテムとともにチャネルアイテムリスト５６に書き込まれる。これによって、チューナコンテナ５４に格納されている非視聴用データＮの見出し情報と、そのチャネルアイテムとが、チャネルアイテムリスト５６にリストアップされる。
【０００６】
一方、データ受信装置５０に接続しているクライアント装置６０は、データ受信装置５０のチャネルアイテムリスト５６にリストアップされたチャネルアイテム１，２，３・・・を参照することにより、チューナコンテナ５４に格納されている非視聴用データを把握し、取得したい非視聴用データがある場合には、そのチャネルアイテムを指定することによって、チューナコンテナ５４に格納された該非視聴用データをダウンロードすることができる。
【０００７】
このように、データ受信装置５０に対してユーザが要求することによって、ユーザが、データ受信装置５０に格納されたデータを取得する技術は、例えば下記特許文献１に開示されている。
【０００８】
これによって、クライアント装置６０は、必要な設定データを取得し、それに基づいて自己のパラメータを調整したり、必要なアプリケーションプログラムを取得し、それをインストールや更新したり、電子番組を取得し、それを参照できるようになる。
【特許文献１】特開２００４−５６３９４号公報
【発明の開示】
【発明が解決しようとする課題】
【０００９】
しかしながら、このような従来のデータ受信装置５０では、以下のような問題がある。
【００１０】
すなわち、データ受信装置５０は、放送局から非視聴用データが常時ブロードキャストされているので、チューナコンテナ５４の容量上の都合から、チューナコンテナ５４に格納された非視聴用データは、一定の期間を過ぎると、別の非視聴用データに書き換えられてしまう。
【００１１】
このため、ユーザは、必要な非視聴用データがチューナコンテナ５４に格納された場合には、それが格納されている間、つまり別の非視聴用データに書き換えられる前にダウンロードしなくてはならない。
【００１２】
しかしながら、ユーザがクライアント装置６０を操作することによって、データ受信装置５０のチャネルアイテムリスト５６を参照しなければ、チューナコンテナ５４にどのような非視聴用データが格納されているのかを把握することができないために、ユーザは、定期的に、チャネルアイテムリスト５６をチェックしなければならない。さもなければ、知らぬ間に必要な非視聴用データが、別の非視聴用データに書き換えられてしまう恐れがあるという問題がある。
【００１３】
本発明はこのような事情に鑑みてなされたものであり、放送局から非視聴用データがブロードキャストされると、その内容を、クライアント装置に通知することが可能なデータ受信装置及び方法を提供することを目的とする。
【課題を解決するための手段】
【００１４】
上記の目的を達成するために、本発明では、以下のような手段を講じる。
【００１５】
すなわち、本発明のデータ受信装置及び方法は、ブロードキャストされた視聴用データ又は非視聴用データのうちの少なくとも何れかを受信する。ここで、非視聴用データとしては、例えば、視聴用データを視聴するためのクライアント装置で使用されるプログラム又はデータである。
【００１６】
そして、受信されたデータの中に非視聴用データを検知した場合には、この非視聴用データから、その種類に応じて、予め定めた項目に対応する情報を取得する。そして、この情報が取得された非視聴用データに対して、識別番号を割り当て、割り当てられた識別番号と、この識別番号が割り当てられた非視聴用データから取得された情報とを、クライアント装置に通知する。
【００１７】
更に、クライアント装置から、識別番号が通知されることにより、通知された識別番号に対応する非視聴用データの配信要求があった場合には、この非視聴用データを、クライアント装置に配信する。
【００１８】
なお、クライアント装置に対して配信する非視聴用データを予め定めておき、検知された非視聴用データが、予め定めた非視聴用データに含まれている場合には、この非視聴用データを、クライアント装置に配信するようにしても良い。
【００１９】
従って、本発明のデータ受信装置及び方法においては、以上のような手段を講じることにより、放送局から非視聴用データがブロードキャストされると、その内容を、クライアント装置に通知することができる。その結果、ユーザは、データ受信装置に格納された非視聴用データの内容を把握することができるようになり、必要な非視聴用データを確実にダウンロードすることができるようになる。
【発明の効果】
【００２０】
本発明によれば、放送局から非視聴用データがブロードキャストされると、その内容を、クライアント装置に通知することが可能なデータ受信装置及び方法を実現することができる。
【発明を実施するための最良の形態】
【００２１】
以下に、本発明を実施するための最良の形態について図面を参照しながら説明する。
【００２２】
図１は、本発明の実施の形態に係るデータ受信方法を適用したデータ受信装置の一例を示す機能ブロック図である。
【００２３】
すなわち、同実施の形態に係るデータ受信装置１０は、アンテナ１２と、データ監視部１４と、データ記憶部１６と、関連情報取得部１８と、プロパティ設定情報記憶部２０と、チャネル割当部２２と、通信部２４と、データ判定部２６と、登録データ記憶部２８とを備えている。
【００２４】
アンテナ１２は、放送局等からブロードキャストされた視聴用データや非視聴用データを受信する。これらデータは、デジタル形式でも、アナログ形式でも良い。
【００２５】
データ監視部１４は、アンテナ１２によって受信されたデータを監視する。そして、監視しているデータが、視聴用データか、非視聴用データかを区別する。放送局等からブロードキャストされるデータには、視聴用データと、非視聴用データとを区別するために、データ判別フラグが含まれている。このデータ判別フラグを、例えば、視聴用データについては「０」、非視聴用データについては「１」と設定することにより、データ監視部１４は、このフラグ値から、視聴用データと非視聴用データとを区別する。そして、区別した視聴用データ及び非視聴用データをそれぞれ関連情報取得部１８に渡す。
【００２６】
関連情報取得部１８は、データ監視部１４から渡された非視聴用データについて、その種類を判別し、判別した種類に応じて、プロパティ設定情報記憶部２０に記憶されている、非視聴用データ種類毎に予め定めてある項目に対応する情報を非視聴用データから取得し、関連情報テーブルを作成する。
【００２７】
放送局等からブロードキャストされるデータには、視聴用データと、非視聴用データとを区別するために、フラグが含まれていることは既に述べたが、非視聴用データには、さらにその種類を判別するための種類判別フラグが含まれている。非視聴用データの種類としては、これに限定される訳ではないが、例えば、データ受信装置１０や、データ受信装置１０からデータが配信されるクライアント装置３０の設定データやアプリケーションプログラム、番組情報データ、視聴者に対するお知らせ用データ等がある。クライアント装置３０としては、例えば、テレビや、テレビ機能付きＰＣ、ビデオレコーダ、あるいはＤＶＤレコーダ等がある。この種類判別フラグを、例えば、データ受信装置１０の設定データを「１」、データ受信装置１０のアプリケーションプログラムを「２」、クライアント装置３０の設定データを「３」、クライアント装置３０のアプリケーションプログラムを「４」、番組情報データを「５」、視聴者に対するお知らせ用データを「６」と設定することにより、関連情報取得部１８は、このフラグ値から、非視聴用データについてその種類を判別する。
【００２８】
一方、プロパティ設定情報記憶部２０は、このような非視聴用データの種類毎に応じて作成される関連情報テーブルを作成するための必要な項目を記憶している。これら項目は、予め定義し、プロパティ設定情報記憶部２０に書き込んでおく。関連情報テーブルとは、非視聴用データの内容が分かるような必要項目のみを、非視聴用データから取得することによって作成される表であり、その一例を図２乃至図４に示す。
【００２９】
図２は、アプリケーションプログラムに対して作成される関連情報テーブルの例である。項目は、プログラム名、バージョン、更新日付、概要からなっており、これらを、アプリケーションプログラムに対する関連情報テーブル作成用の項目として、プロパティ設定情報記憶部２０に書き込んでおく。
【００３０】
また、図３は、設定データに対して作成される関連情報テーブルの例である。これは、時計の設定を、サマータイムに合わせて１時間早める設定をする場合のためのものである。項目は、±時間である。これも、アプリケーションプログラムに対する関連情報テーブル作成用の項目として、プロパティ設定情報記憶部２０に書き込んでおく。なお、設定データは、このような時計の設定に限られるものではなく、その他様々存在しうるので、設定データについて種類判別フラグを細分割し、細分割したおのおのについて個別に項目を設定し、プロパティ設定情報記憶部２０に書き込んでおくことにより、このような設定データの種類に応じてさらに区別して取り扱うことも可能である。
【００３１】
図４は、番組情報データに対して作成される関連情報テーブルの例である。項目は、番組名、内容、開始時間、終了時間、音声、字幕、画質からなっており、これらを、番組情報データに対する関連情報テーブル作成用の項目として、プロパティ設定情報記憶部２０に書き込んでおく。
【００３２】
つまり、関連情報取得部１８は、データ監視部１４から非視聴用データを受け取ると、種類判別フラグからその種類を判別し、判別した種類に応じて、プロパティ設定情報記憶部２０に記憶されている項目を取得する。そして、この項目に対応する情報を、非視聴用データから取得し、例えば図２乃至図４に示すような関連情報テーブルを作成する。
【００３３】
関連情報取得部１８は、非視聴用データに、上記のようにして作成した関連情報テーブルを追加してチャネル割当部２２に渡す。なお、データ監視部１４から渡された視聴用データについては、タイトル、放映時間、出演者等を、視聴用データから取得することによって番組情報を作成する。そして、視聴用データに、このように作成した番組情報を追加して、チャネル割当部２２に渡す。なお、視聴用データについても、非視聴用データで作成しているのと同様に関連情報テーブルを作成するようにしても良い。
【００３４】
チャネル割当部２２は、関連情報取得部１８から渡された視聴用データ及び非視聴用データのそれぞれに対して個別にチャネル番号を割り当てる。そして、視聴用データ及び非視聴用データを、割り当てられたチャネル番号に関連付けてデータ記憶部１６に記憶させる。データ記憶部１６には、記憶容量の限界があるので、空き容量がある場合には、その空き容量に新たなデータを書き込むことによって記憶させるが、記憶容量がフルに使用されている場合には、新たなデータを書き込むために、古いデータに順次上書きして行く。
【００３５】
また、チャネル番号は、データ記憶部１６から所望のデータを取り出す場合に使用する識別番号であることから、同じチャネル番号が、データ記憶部１６に二重登録されてはならない。しかしながら、上述したように、古いデータが上書きされることによって、使用されなくなったチャネル番号が発生した場合には、そのチャネル番号を再使用しても良い。
【００３６】
通信部２４は、チャネル割当部２２によって、新たなデータが、チャネル番号とともにデータ記憶部１６に書き込まれると、この新たに書き込まれたデータが非視聴用データの場合には関連情報テーブルを、視聴用データの場合には番組情報を、それぞれ対応するチャネル番号とともに取得する。そして、取得した関連情報テーブル又は番組情報と、チャネル番号とを、イーサネット（登録商標）やインターネット等の通信ネットワーク３２を経由してクライアント装置３０に通知する。
【００３７】
このようにして通知された関連情報テーブル又は番組情報と、チャネル番号とを、クライアント装置３０の表示画面から表示することにより、ユーザは、新たにブロードキャストされたデータの関連情報テーブル又は番組情報と、チャネル番号とをクライアント装置３０を介して把握することができる。そして、関連情報テーブル又は番組情報の内容から、ユーザが、該データが必要であると判断した場合には、クライアント装置３０に、該データに対応するチャネル番号を入力する。このようにして入力されたチャネル番号は、通信ネットワーク３２を経由して通信部２４に通知される。
【００３８】
すると、通信部２４は、クライアント装置３０から通知されたチャネル番号に対応するデータを、データ記憶部１６から取得し、通信ネットワーク３２を経由してクライアント装置３０に配信する。これによって、クライアント装置３０側では、視聴用データや、非視聴用データを取得する。そして、視聴用データを取得した場合には、クライアント装置３０の備えている表示機能を用いて表示したり、クライアント装置３０の備えている録画機能を用いて録画することができる。また、非視聴用データを取得した場合には、新たなプログラムをダウンロードして設定したり、アップデートされたプログラムをダウンロードしてプログラムの更新をしたり、設定データを取得してこれに基づいて設定情報を変更したり、番組情報データやお知らせ用データを表示したりすることができる。
【００３９】
なお、同実施の形態に係るデータ受信装置１０は、上述したように、クライアント装置３０からの要求に基づいてデータをクライアント装置３０に配信する機能のみならず、予め定めておいたデータが、データ記憶部１６に書き込まれた場合には、自動的にクライアント装置３０に配信する機能も備えている。この自動配信機能は、データ判定部２６及び登録データ記憶部２８によって実現する。
【００４０】
すなわち、この自動配信機能を用いる場合には、クライアント装置３０に対して、自動配信するデータを予め定めておき、その定義情報を登録データ記憶部２８に記憶させておく。定義方法についてはこれに限定されるものではないが、例えば、データ種類指定、ジャンル指定、キーワード指定等によって行う。
【００４１】
そして、データ判定部２６は、データ記憶部１６にデータがチャネル番号とともに書き込まれると、このデータの内容を、登録データ記憶部２８に記憶された定義情報と比較する。そして、このデータが、定義情報に定義されたデータ種類、ジャンル、キーワード等に合致する場合には、このデータを通信部２４に出力する。
【００４２】
そして、通信部２４は、出力されたデータを、通信ネットワーク３２を経由してクライアント装置３０に配信する。これによって、クライアント装置３０は、所望する視聴用データや、非視聴用データを自動的に取得する。このように自動的に取得した場合にもまた、クライアント装置３０の備えている表示機能を用いて表示したり、クライアント装置３０の備えている録画機能を用いて録画することができる。また、非視聴用データを取得した場合には、新たなプログラムをダウンロードして設定したり、アップデートされたプログラムをダウンロードしてプログラムの更新をしたり、設定データを取得してこれに基づいて設定情報を変更したり、番組情報データやお知らせ用データを表示したりすることができる。
【００４３】
次に、以上のように構成した同実施の形態に係るデータ受信方法を適用したデータ受信装置の動作について図５及び図６に示すフローチャートを用いて説明する。
【００４４】
まず、放送局等からデジタル形式又はアナログ形式によって視聴用データや非視聴用データがブロードキャストされると、このブロードキャストされたデータはアンテナ１２によって受信される（Ｓ１）。
【００４５】
アンテナ１２によって受信されたデータは、データ監視部１４によって監視され、監視しているデータが、視聴用データか、非視聴用データかが区別される（Ｓ２）。放送局等からブロードキャストされるデータには、視聴用データと、非視聴用データとを区別するために、データ判別フラグが含まれている。例えば、視聴用データについては「０」、非視聴用データについては「１」と設定されている。したがって、データ監視部１４では、このフラグ値から、視聴用データと非視聴用データとが区別される。そして、区別された視聴用データ及び非視聴用データは、関連情報取得部１８に渡される。
【００４６】
関連情報取得部１８では、データ監視部１４から渡されたデータが非視聴用データである場合（Ｓ３：Ｙｅｓ）には、更にその種類が判別される（Ｓ４）。一方、プロパティ設定情報記憶部２０には、関連情報テーブルを作成するために必要な項目が、データの種類に応じて記憶されている。ステップＳ４で種類が判別されると、データ監視部１４から渡された非視聴用データから、この種類に該当する項目に対応する情報が、関連情報取得部１８によって取得され、関連情報テーブルが作成される（Ｓ５）。このように作成された関連情報テーブルは、更に、関連情報取得部１８によって非視聴用データに追加され（Ｓ６）た後に、チャネル割当部２２に渡される。
【００４７】
一方、関連情報取得部１８では、データ監視部１４から渡されたデータが視聴用データである場合（Ｓ３：Ｎｏ）には、タイトル、放映時間、出演者等が、視聴用データから取得されることによって番組情報が作成される（Ｓ７）。このように作成された番組情報は、更に、関連情報取得部１８によって視聴用データに追加され（Ｓ８）た後に、チャネル割当部２２に渡される。
【００４８】
次に、チャネル割当部２２では、関連情報取得部１８から渡された視聴用データ及び非視聴用データのそれぞれに対して個別にチャネル番号が割り当てられる（Ｓ９）。そして、視聴用データ及び非視聴用データは、割り当てられたチャネル番号に関連付けられてデータ記憶部１６に書き込まれる（Ｓ１０）。データ記憶部１６には、記憶容量の限界があるので、空き容量がある場合には、その空き容量に新たなデータを書き込まれるが、記憶容量がフルに使用されている場合には、新たなデータを書き込むために、古いデータに順次上書きされる。この場合、データ記憶部１６に書き込まれたデータのチャネル番号は、それぞれ固有の番号であり、同じチャネル番号が二重登録されることはない。
【００４９】
このようにデータ記憶部１６にデータが書き込まれると、データ判定部２６によって、この書き込まれたデータの内容が、登録データ記憶部２８に記憶された定義情報と比較される（Ｓ１１）。そして、このデータが、定義情報で定義されたデータ種類、ジャンル、キーワード等に合致する場合（Ｓ１２：Ｙｅｓ）には、このデータは通信部２４に出力される。
【００５０】
そして、この出力されたデータは、更に通信部２４から、通信ネットワーク３２を経由してクライアント装置３０へと配信される（Ｓ１３）。これによって、クライアント装置３０は、所望する視聴用データや、非視聴用データを自動的に取得することができる。
【００５１】
なお、データ判定部２６と、登録データ記憶部２８とは、省略することも可能である。この場合、ステップＳ１１乃至ステップＳ１３の処理はスキップされ、ステップＳ１４に進む。
【００５２】
ステップＳ１４では、データ記憶部１６に書き込まれた新たなデータに対応する関連情報テーブルや番組情報が、それぞれ対応するチャネル番号とともに通信部２４によって取得され（Ｓ１４）、更に通信ネットワーク３２を経由してクライアント装置３０に通知される（Ｓ１５）。
【００５３】
このようにして通知された関連情報テーブル又は番組情報と、チャネル番号とを、クライアント装置３０の表示画面から表示することにより、ユーザは、新たにブロードキャストされたデータの関連情報テーブル又は番組情報と、チャネル番号とをクライアント装置３０を介して把握することができる（Ｓ１６）。そして、関連情報テーブルや番組情報の内容から、ユーザが、該データが必要であると判断した場合（Ｓ１７：Ｙｅｓ）には、ユーザは、クライアント装置３０に、該データに対応するチャネル番号を入力する（Ｓ１８）。このようにして入力されたチャネル番号は、通信ネットワーク３２を経由して通信部２４に通知される。
【００５４】
すると、通信部２４では、クライアント装置３０から通知されたチャネル番号に対応するデータが、データ記憶部１６から取得され、更に通信ネットワーク３２を経由してクライアント装置３０に配信される（Ｓ１９）。
【００５５】
これによって、クライアント装置３０側では、所望する視聴用データや、非視聴用データを指定することにより取得することができる。
【００５６】
このようにして、視聴用データを取得した場合には、クライアント装置３０の備えている表示機能を用いて表示したり、クライアント装置３０の備えている録画機能を用いて録画することができる。また、非視聴用データを取得した場合には、新たなプログラムをダウンロードして設定したり、アップデートされたプログラムをダウンロードしてプログラムの更新をしたり、設定データを取得してこれに基づいて設定情報を変更したり、番組情報データやお知らせ用データを表示したりすることができる。
【００５７】
上述したように、同実施の形態に係るデータ受信方法を適用したデータ受信装置においては、上記のような作用により、放送局等から新たな視聴用データや非視聴用データがブロードキャストされた場合には、予め指定した条件に合致するものについては自動的にクライアント装置３０に配信することができる。また、放送局から新たな視聴用データや非視聴用データがブロードキャストされた場合には、その番組情報や関連情報テーブルが、クライアント装置３０に通知されるので、ユーザは、所望するデータがブロードキャストされて来たことを把握することができ、それが必要である場合には、配信要求することによって、確実に取得することが可能となる。
【００５８】
以上、本発明を実施するための最良の形態について、添付図面を参照しながら説明したが、本発明はかかる構成に限定されない。特許請求の範囲の発明された技術的思想の範疇において、当業者であれば、各種の変更例及び修正例に想到し得るものであり、それら変更例及び修正例についても本発明の技術的範囲に属するものと了解される。
【図面の簡単な説明】
【００５９】
【図１】本発明の実施の形態に係るデータ受信方法を適用したデータ受信装置の一例を示す機能ブロック図。
【図２】アプリケーションプログラムに対して作成される関連情報テーブルの例。
【図３】設定データに対して作成される関連情報テーブルの例。
【図４】番組情報データに対して作成される関連情報テーブルの例。
【図５】本発明の実施の形態に係るデータ受信方法を適用したデータ受信装置の動作を示すフローチャート（前半）。
【図６】本発明の実施の形態に係るデータ受信方法を適用したデータ受信装置の動作を示すフローチャート（後半）。
【図７】従来のデータ受信装置が、放送局からブロードキャストされた非視聴用データＮを受信し、クライアント装置に提供する仕組みを示す概念図。
【符号の説明】
【００６０】
１０…データ受信装置、１２…アンテナ、１４…データ監視部、１６…データ記憶部、１８…関連情報取得部、２０…プロパティ設定情報記憶部、２２…チャネル割当部、２４…通信部、２６…データ判定部、２８…登録データ記憶部、３０…クライアント装置、３２…通信ネットワーク、５０…データ受信装置、５２…アンテナ、５４…チューナコンテナ、５６…チャネルアイテムリスト、６０…クライアント装置
【図１】
2006174278.tif 000003
【図２】
2006174278.tif 000004
【図３】
2006174278.tif 000005
【図４】
2006174278.tif 000006
【図５】
2006174278.tif 000007
【図６】
2006174278.tif 000008
【図７】
2006174278.tif 000009